【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
周波数ホップ（ＦＨ）シーケンスを取得する方法であって、
式１／ｋについての第１のシーケンスの要素を取得することであって、ｋは、前記第１のシーケンスの要素のためのインデクスであることと、
前記第１のシーケンスに基づいて式ｌｏｇα１／ｋについての第２のシーケンスの要素を取得することであって、ｐは素数、αはｐの原始根であり、式１／ｋと式ｌｏｇα１／ｋとはモジュロｐ演算を用いて評価され、前記周波数ホップシーケンスは前記第２のシーケンスに基づいて導出されることと
を備える方法。
【請求項２】
請求項１に記載の方法において更に、
式αｋについての第３のシーケンスの要素を取得することであって、前記第２のシーケンスは更に前記第３のシーケンスに基づいて取得されることを備える方法。
【請求項３】
請求項１に記載の方法において、前記周波数ホップ（ＦＨ）シーケンスは、前記第２のシーケンスに等しい方法。
【請求項４】
請求項１に記載の方法において、前記周波数ホップ（ＦＨ）シーケンスは、前記第２のシーケンスの垂直シフトバージョンである方法。
【請求項５】
請求項１に記載の方法において更に、
前記第２のシーケンスのための所望の長さに基づいて前記素数ｐを選択することを備える方法。
【請求項６】
請求項１に記載の方法において、前記周波数ホップ（ＦＨ）シーケンスは、複数の時間間隔の各々におけるデータ送信用に使用するために、複数の周波数バンドの中から具体的な周波数バンドを決定するために使用される方法。
【請求項７】
マルチバンド通信システムにおける送信のためにデータを処理する方法であって、
複数の周波数バンド上で送信するためのデータを受信することと、
周波数ホップ（ＦＨ）シーケンスに基づいて複数の時間間隔の各々で使用するために、前記複数の周波数バンドのうちの特定の１つを決定することであって、前記周波数ホップ（ＦＨ）シーケンスは、数学式ｙ（ｋ）＝ｌｏｇα１／ｋ（ｍｏｄ  ｐ）に基づいて生成され、ｐは素数であり、αはｐの原始根であり、ｋは前記周波数ホップ（ＦＨ）シーケンスの要素のインデクスであり、（ｍｏｄ  ｐ）はモジュロｐ演算を示すことと、
前記周波数ホップ（ＦＨ）シーケンスによって決定された周波数バンド上で送信するための前記データを処理することと
を備える方法。
【請求項８】
請求項７に記載の方法において、前記データは、前記周波数ポップ（ＦＨ）シーケンスの一部に対応した周波数バンド上の送信のために処理される方法。
【請求項９】
請求項７に記載の方法において、前記マルチバンド通信システムは、直交周波数分割多重（ＯＦＤＭ）を実施し、前記複数の周波数バンドは、ＯＦＤＭによって提供されたサブバンドに対応する方法。
【請求項１０】
請求項９に記載の方法において、各時間間隔は、１つのＯＦＤＭシンボル周期の期間を持つ方法。
【請求項１１】
マルチバンド通信システムにおける装置であって、
複数の周波数バンド上で送信するためのデータを受信する手段と、
周波数ホップ（ＦＨ）シーケンスに基づいて複数の時間間隔の各々で使用するために、前記複数の周波数バンドのうちの特定の１つを決定する手段であって、前記周波数ホップ（ＦＨ）シーケンスは、数学式ｙ（ｋ）＝ｌｏｇα１／ｋ（ｍｏｄ  ｐ）に基づいて生成され、ｐは素数であり、αはｐの原始根であり、ｋは前記周波数ホップ（ＦＨ）シーケンスの要素のインデクスであり、（ｍｏｄ  ｐ）はモジュロｐ演算を示す手段と、
前記周波数ホップ（ＦＨ）シーケンスによって決定された周波数バンド上で送信するための前記データを処理する手段と
を備える装置。
【請求項１２】
請求項１１に記載の装置において、前記データ送信は、前記マルチバンド通信システムにおけるダウンリンクのためである装置。
【請求項１３】
請求項１１に記載の装置において、前記データ送信は、前記マルチバンド通信システムにおけるアップリンクのためである装置。
【請求項１４】
マルチバンド通信システムにおける送信機ユニットであって、
複数の周波数バンド上で送信するためのデータを変調するように動作する変調器と、
周波数ホップ（ＦＨ）シーケンスに基づいて複数の時間間隔の各々で使用するために、前記複数の周波数バンドのうちの特定の１つを決定するように動作する切換器であって、前記周波数ホップ（ＦＨ）シーケンスは、数学式ｙ（ｋ）＝ｌｏｇα１／ｋ（ｍｏｄ  ｐ）に基づいて生成され、ｐは素数であり、αはｐの原始根であり、ｋは前記周波数ホップシーケンスの要素のインデクスであり、（ｍｏｄ  ｐ）はモジュロｐ演算を示す切換器と、
前記周波数ホップ（ＦＨ）シーケンスによって決定された周波数バンド上で送信するための前記変調されたデータを処理するように動作する信号プロセッサと
を備える送信機ユニット。
【請求項１５】
請求項１４に記載の送信機ユニットにおいて、前記マルチバンド通信システムは、直交周波数分割多重（ＯＦＤＭ）を実施し、前記複数の周波数バンドは、ＯＦＤＭによって提供されたサブバンドに対応し、前記信号プロセッサは、前記変調されたデータについて逆フーリエ変換を行う送信機ユニット。
【請求項１６】
マルチバンド通信システムにおいて送信するためのデータを処理する方法であって、
第１のトラフィックチャネル上で送信するためのデータを受信することと、
第１の周波数ホップ（ＦＨ）シーケンスに基づいて複数の時間間隔の各々で前記第１のトラフィックチャネルについて使用するために、複数の周波数バンドのうちの特定の１つを決定することであって、前記第１の周波数ホップ（ＦＨ）シーケンスは、前記第１のトラフィックチャネルに割り当てられ、数学式ｙ（ｋ）＝ｌｏｇα１／ｋ（ｍｏｄ  ｐ）に基づいて生成され、ｐは素数であり、αはｐの原始根であり、ｋは前記第１の周波数ホップ（ＦＨ）シーケンスの要素のインデクスであり、（ｍｏｄ  ｐ）はモジュロｐ演算を示すことと、
前記第１の周波数ホップ（ＦＨ）シーケンスによって決定された周波数バンド上で送信するための前記第１のトラフィックチャネルのためのデータを処理することと
を備える方法。
【請求項１７】
請求項１６に記載の方法において更に、
第２のトラフィックチャネル上で送信するためのデータを受信することと、
第２の周波数ホップ（ＦＨ）シーケンスに基づいて複数の時間間隔の各々で前記第２のトラフィックチャネルについて使用するために、複数の周波数バンドのうちの特定の１つを決定することであって、前記第２の周波数ホップ（ＦＨ）シーケンスは、前記第２のトラフィックチャネルに割り当てられ、数学式ｙ（ｋ）＝ｌｏｇα１／ｋ（ｍｏｄ  ｐ）に基づいて生成されることと、
前記第２の周波数ホップ（ＦＨ）シーケンスによって決定された周波数バンド上で送信するための前記第２のトラフィックチャネルのためのデータを処理することと
を備える方法。
【請求項１８】
請求項１７に記載の方法において、前記第２の周波数ホップ（ＦＨ）シーケンスは、前記第１の周波数ホップ（ＦＨ）シーケンスの垂直シフトされたバージョンである方法。
【請求項１９】
請求項１７に記載の方法において、前記第１及び第２の周波数ホップ（ＦＨ）シーケンスは、同じ素数の異なる原始根に基づいて生成される方法。
【請求項２０】
請求項１７に記載の方法において、前記第１及び第２の周波数ホップ（ＦＨ）シーケンスは、異なる素数に基づいて生成される方法。
【請求項２１】
請求項１６に記載の方法において、前記マルチバンド通信システムは、直交周波数分割多重（ＯＦＤＭ）を実施し、前記複数の周波数バンドは、ＯＦＤＭによって提供されたサブバンドに対応する方法。
【請求項２２】
マルチバンド通信システムにおいてデータ送信を復元する方法であって、
複数の周波数バンドについての受信されたシンボルを取得することと、
周波数ホップ（ＦＨ）シーケンスに基づいて、複数の時間間隔の各々におけるデータ送信のために使用される前記複数の周波数バンドのうちの特定の１つを決定することであって、前記周波数ホップ（ＦＨ）シーケンスは、前記データ送信に割り当てられ、数学式ｙ（ｋ）＝ｌｏｇα１／ｋ（ｍｏｄ  ｐ）に基づいて生成され、ｐは素数であり、αはｐの原始根であり、ｋは前記周波数ホップ（ＦＨ）シーケンスの要素のインデクスであり、（ｍｏｄ  ｐ）はモジュロｐ演算を示すことと、
前記周波数ホップ（ＦＨ）シーケンスによって決定された周波数バンドについて受信されたシンボルを処理し、前記データ送信を復元することと
を備える方法。
【請求項２３】
マルチバンド通信システムにおける装置であって、
複数の周波数バンドについての受信されたシンボルを取得する手段と、
周波数ホップ（ＦＨ）シーケンスに基づいて、複数の時間間隔の各々におけるデータ送信のために使用される前記複数の周波数バンドのうちの特定の１つを決定する手段であって、前記周波数ホップ（ＦＨ）シーケンスは、前記データ送信に割り当てられ、数学式ｙ（ｋ）＝ｌｏｇα１／ｋ（ｍｏｄ  ｐ）に基づいて生成され、ｐは素数であり、αはｐの原始根であり、ｋは前記周波数ホップ（ＦＨ）シーケンスの要素のインデクスであり、（ｍｏｄ  ｐ）はモジュロｐ演算を示す手段と、
前記周波数ホップ（ＦＨ）シーケンスによって決定された周波数バンドについて受信されたシンボルを処理し、前記データ送信を復元する手段と
を備える装置。
【請求項２４】
周波数ホップ（ＦＨ）シーケンスを取得する方法であって、
インデクスされた第１のシーケンスの要素を生成することと、
対数関数と、前記第１のシーケンスの要素からのモジュロ演算とを用いて、第２のシーケンスの要素を取得することと、
前記第２のシーケンスに基づいて、周波数ホップシーケンスを生成することと
を備える方法。
【請求項２５】
請求項２４に記載の方法において、
前記対数関数は式ｌｏｇα１／ｋを備え、前記モジュロ演算はｍｏｄ（ｐ）を備え、ｐは素数であり、αはｐの原始根である方法。
【請求項２６】
請求項２５に記載の方法において、
式αｋについての第３のシーケンスの要素を取得することを更に備え、
前記第２のシーケンスは更に前記第３のシーケンスに基づいて取得される方法。
【請求項２７】
請求項２５に記載の方法において、
前記第２のシーケンスのために、所望の長さに基づいて素数ｐを選択することを更に備えた方法。
【請求項２８】
対数関数とモジュロ演算とを用いる周波数ホップシーケンスを生成するコントローラと、
データを変調する変調器と、
複数の周波数のうちの周波数を、前記周波数ホップシーケンスに従って前記データへ割り当てる切換器と
を備えた送信機。
【請求項２９】
請求項２９に記載の送信機において、
前記対数関数は式ｌｏｇα１／ｋを備え、前記モジュロ演算はｍｏｄ（ｐ）を備え、ｐは素数であり、αはｐの原始根である送信機。
【請求項３０】
請求項２８に記載の送信機において、
前記コントローラは、前記第２のシーケンスのために、所望の長さに基づいて素数ｐを選択する送信機。
【手続補正２】
【補正対象書類名】明細書
【補正対象項目名】０００２
【補正方法】変更
【補正の内容】
【０００２】
周波数ホッピング拡散スペクトル（ＦＨＳＳ：frequency hopping spread spectrum）システムでは、異なる時間間隔（「スロット」とも称される）で異なる周波数バンド上でデータが送信される。これらの周波数バンドは、直交周波数分割多重（ＯＦＤＭ）、他のマルチキャリア変調技術、またはその他の幾つかの構成概念によって提供される。ＦＨＳＳによって、データ送信は、擬似ランダム方式で、周波数バンドから周波数バンドへとホップする。これによって、データ送信は、例えば狭帯域干渉、ジャミング、フェージング等のような悪影響のある経路効果に対してより耐えることができるようになる。
【手続補正３】
【補正対象書類名】明細書
【補正対象項目名】００５８
【補正方法】変更
【補正の内容】
【００５８】
周波数選択フェージングによってもたらされるシンボル間干渉（ＩＳＩ：inter-symbol interference）と戦うために、変換された各々のシンボルの一部が、周期的プレフィクス生成器６２２によって繰り返され、対応するＯＦＤＭシンボルを作成する。これは、Ｎ＋Ｃｐ個のサンプルを備えており、また、Ｃｐは、繰り返されたサンプルの数を示す。繰り返された部分は、しばしば周期的プレフィクスと称される。ＯＦＤＭシンボル周期は、Ｎ＋Ｃｐ個のサンプル周期である１つのＯＦＤＭシンボルの期間に一致する。周期的プレフィクス生成器６２２は、ＯＦＤＭシンボルのストリームを提供する。その後、送信機ユニット（ＴＭＴＲ）６２４は、ＯＦＤＭシンボルストリームを処理し、ダウンリンク信号を提供する。これは、その後、アンテナ６２６から端末へ送信される。